(57)【要約】【課題】  情報ディスク装置の設置方向を、センサー手段を設けることなく検出可能にする。【解決手段】  ディスク回転手段１０３は光ディスク１０２を回転し、駆動手段１０９は光ディスク１０２から信号を読み出すための読み取り手段１０６を光ディスク１０２の半径方向に移動させ、トラッククロス信号生成手段１１２は、前記読み取り手段１０６からの再生信号から前記光ディスク１０２の情報トラック横断信号を生成し、前記ディスク回転手段１０３，読み取り手段１０６，駆動手段１０９，及びトラッククロス信号生成手段１１２を制御する制御手段１１６は、前記トラッククロス信号生成手段１１２の情報トラック横断信号を計数しながら前記駆動手段１０９により前記読み取り手段１０６を一定時間前記光ディスク１０２の半径方向に移動させ、得られた計数値に基づき情報ディスク装置の設置方向を検出するようにした。【選択図】  図１
2006155881.tif 000002
【特許請求の範囲】
【請求項１】
情報トラックが螺旋状または同心円状に形成された情報ディスクを記録または再生する情報ディスク装置において、
前記情報ディスクを回転させるディスク回転手段と、
前記情報ディスクから信号を読み出すための読み取り手段と、
前記読み取り手段を前記情報ディスクの半径方向に移動させる駆動手段と、
前記読み取り手段からの再生信号から前記情報ディスクの情報トラック横断信号を生成するトラッククロス信号生成手段と、
前記ディスク回転手段，読み取り手段，駆動手段，及びトラッククロス信号生成手段を制御する制御手段とを備え、
前記制御手段は、前記トラッククロス信号生成手段の情報トラック横断信号を計数しながら前記駆動手段により前記読み取り手段を一定時間前記情報ディスクの半径方向に移動させ、
得られた計数値に基づき情報ディスク装置の設置方向を検出することを特徴とする情報ディスク装置。
【請求項２】
請求項１に記載の情報ディスク装置において、
前記情報ディスク装置は、トラックピッチの異なる複数種類の情報ディスクを再生または記録可能であり、
前記情報ディスクのトラックピッチを検出するトラックピッチ検出手段をさらに備え、
前記制御手段は、前記トラッククロス信号生成手段の情報トラック横断信号を計数しながら前記駆動手段により一定時間前記読み取り手段を一定速度で前記情報ディスクの半径方向に移動させ、
得られた計数値と前記情報ディスクのトラックピッチとに基づき情報ディスク装置の設置方向を検出することを特徴とする情報ディスク装置。
【請求項３】
請求項２に記載の情報ディスク装置において、
前記情報ディスクの種類毎にその標準的なトラックピッチ値を示すテーブルをさらに有し、
前記トラックピッチ検出手段は、前記情報ディスクの種類を検出し、前記トラックピッチ値のテーブルを参照することにより、当該情報ディスクのトラックピッチを検出することを特徴とする情報ディスク装置。
【請求項４】
請求項２に記載の情報ディスク装置において、
前記トラックピッチ検出手段は、前記情報ディスクの線速度を検出する線速度検出手段と、前記情報ディスクの現在の再生速度を検出する再生速度検出手段とを有するとともに、前記情報ディスクの種類を検出し、
前記制御手段は、前記線速度検出手段を用いてディスクの線速度を検出し、
ディスク回転手段に装着された前記情報ディスクを所定の速度で回転させ、
前記駆動手段により前記読み取り手段を前記情報ディスクの所定のアドレスに対応する位置（以下、単に所定のアドレスと称す）に移動させ、
前記所定の回転速度、所定のアドレスで前記再生速度検出手段を用いて再生速度を検出し、
前記線速度検出手段で検出した情報ディスクの線速度、前記所定の回転速度および所定のアドレスで検出した再生速度、前記所定の回転速度、アドレス値、検出された情報ディスクの種類に固有のデータ領域の最内周径、情報ディスクの種類に固有の所定の再生速度で再生したときのデータレートの値に基づき前記情報ディスクのトラックピッチを算出することを特徴とする情報ディスク装置。
【請求項５】
請求項２に記載の情報ディスク装置において、
前記制御手段は、得られた計数値としきい値とを比較することにより前記情報ディスク装置の設置方向を検出することを特徴とする情報ディスク装置。
【請求項６】
情報トラックが螺旋状または同心円状に形成された情報ディスクを記録または再生する情報ディスク装置の設置方向検出方法において、
読み取り手段により前記情報ディスクから再生した再生信号から当該情報ディスクの情報トラック横断信号を生成し、
該情報トラック横断信号を計数しながら駆動手段により前記読み取り手段を一定時間前記情報ディスクの半径方向に移動させ、
得られた計数値に基づき情報ディスク装置の設置方向を検出することを特徴とする情報ディスク装置の設置方向検出方法。
【請求項７】
請求項６に記載の情報ディスク装置の設置方向検出方法において、
前記情報ディスク装置はトラックピッチの異なる複数種類の情報ディスクを再生または記録可能であり、
トラックピッチ検出手段により前記情報ディスクのトラックピッチを検出し、
前記情報トラック横断信号を計数しながら前記駆動手段により前記読み取り手段を一定時間一定速度で前記情報ディスクの半径方向に移動させ、
得られた計数値と前記情報ディスクのトラックピッチとに基づき情報ディスク装置の設置方向を検出することを特徴とする情報ディスク装置の設置方向検出方法。
【請求項８】
請求項７に記載の情報ディスク装置の設置方向検出方法において、
前記情報ディスクの種類毎にその標準的なトラックピッチ値を示すテーブルを有し、
前記トラックピッチ検出手段は、前記情報ディスクの種類を検出し、前記トラックピッチ値のテーブルを参照することにより、当該情報ディスクのトラックピッチを検出することを特徴とする情報ディスク装置の設置方向検出方法。
【請求項９】
請求項７に記載の情報ディスク装置の設置方向検出方法において、
前記トラックピッチ検出手段は、前記情報ディスクの線速度を検出する線速度検出手段と、前記情報ディスクの現在の再生速度を検出する再生速度検出手段とを有し、前記トラックピッチ検出手段により情報ディスクの種類を検出するとともに、
前記線速度検出手段を用いてディスクの線速度を検出し、
ディスク回転手段に装着された前記情報ディスクを所定の速度で回転させ、
前記駆動手段により前記読み取り手段を前記情報ディスクの所定のアドレスに対応する位置（以下、単に所定のアドレスと称す）に移動させ、
前記所定の回転速度、所定のアドレスで前記再生速度検出手段を用いて再生速度を検出し、
前記線速度検出手段で検出した情報ディスクの線速度、前記所定の回転速度および所定のアドレスで検出した再生速度、前記所定の回転速度、アドレス値、検出された情報ディスクの種類に固有のデータ領域の最内周径、情報ディスクの種類に固有の所定の再生速度で再生したときのデータレートの値に基づき前記情報ディスクのトラックピッチを算出することを特徴とする情報ディスク装置の設置方向検出方法。
【請求項１０】
請求項６に記載の情報ディスク装置の設置方向検出方法において、
前記得られた計数値としきい値とを比較することにより前記情報ディスク装置の設置方向を検出することを特徴とする情報ディスク装置の設置方向検出方法。
【発明の詳細な説明】
【技術分野】
【０００１】
本発明は、情報ディスク装置及び情報ディスク装置の設置方向検出方法に関し、特にディスク状の情報記録媒体に対し信号を記録または再生する装置において、その設置方向を検出する方法、の改良を図ったものに関する。
【背景技術】
【０００２】
近年、パソコンやゲーム機等のコンピュータ機器は多様なデザイン性が要求されており、これに搭載される情報ディスク装置も様々な設置方向で設置されることが想定されるようになった。
【０００３】
一方、情報ディスク装置は高速記録再生、及び記録再生精度の向上、目的情報トラックへのシーク速度の向上などのためにその設置方向を検出し、その設置方向により様々な制御パラメータを変更する必要があることが知られている。
【０００４】
これに対し、予め設置方向毎に最適な制御パラメータを設定したファームウエアを用意する方法や、外部からのジャンパ設定、スイッチ手段などにより設置方向に応じた情報を設定し、最適なパラメータを設定する方法などにより対応することが一般的に行われている。
【０００５】
また、特許文献１に示された方式では、対物レンズと、対物レンズを少なくともトラッキング方向に移動自在に支持するピックアップ装置と、ピックアップ装置を搬送するピックアップ搬送部材と、対物レンズをトラックと直交する方向に駆動するトラッキング制御回路と、ピックアップ搬送部材をトラックと直交する方向に駆動するトラバース制御回路と、対物レンズのピックアップに対する初期姿勢を検出する位置検出器と、位置検出器の出力に応じた補正信号をトラッキング制御回路及びトラバース制御回路に供給する補正回路とを備えたことを特徴とし、これにより、装置の設置状態によらず、常に最適な状態でのトラッキング及びトラバース制御を可能としたものが開示されている。
また、ディスクドライブの設置方向を検出するセンサ手段を装置内部に設置してその設置方向を検出する方法も知られている。
【０００６】
しかしながら、予め設置方向毎に最適な制御パラメータを設定したファームウエアを用意する方法や、外部からのジャンパ設定、スイッチ手段などにより設置方向を設定する方法では、使用者がコンピューター機器の設置方向を変更する度にその設定を変更する必要があり、誤って設定がなされると情報ディスク装置はその本来の性能を発揮できないことになる。
【０００７】
また、特許文献１記載の方法でも、対物レンズのピックアップに対する位置関係を検出しているため、トラバース負荷のばらつき等により誤差を生じやすく、対物レンズを含む機構が非常に軽量化された機器では重力による対物レンズの変位量が少なく、正確な設置方向が検出出来ないことがあった。更に、設置方向検出手段を用いる方法では、センサー手段がコストアップを招くと同時にセンサー手段を設置する装置内のスペースも問題となる。
【特許文献１】特開平１０−２５５２８７号公報
【発明の開示】
【発明が解決しようとする課題】
【０００８】
本発明は、上記のような従来のものの問題点を解決するためになされたもので、センサー手段を用いることなく、コストアップなしで常に正確に設置方向を検出可能な情報ディスク装置およびその設置方向検出方法を提供することを目的としている。
【課題を解決するための手段】
【０００９】
上記した課題を解決するために、本発明の請求項１に記載の情報ディスク装置は、情報トラックが螺旋状または同心円状に形成された情報ディスクを記録または再生する情報ディスク装置において、前記情報ディスクを回転させるディスク回転手段と、前記情報ディスクから信号を読み出すための読み取り手段と、前記読み取り手段を前記情報ディスクの半径方向に移動させる駆動手段と、前記読み取り手段からの再生信号から前記情報ディスクの情報トラック横断信号を生成するトラッククロス信号生成手段と、前記ディスク回転手段，読み取り手段，駆動手段，及びトラッククロス信号生成手段を制御する制御手段とを備え、前記制御手段は、前記トラッククロス信号生成手段の情報トラック横断信号を計数しながら前記駆動手段により前記読み取り手段を一定時間前記情報ディスクの半径方向に移動させ、得られた計数値に基づき情報ディスク装置の設置方向を検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１０】
また、本発明の請求項２に記載の情報ディスク装置は、請求項１に記載の情報ディスク装置において、前記情報ディスク装置は、トラックピッチの異なる複数種類の情報ディスクを再生または記録可能であり、前記情報ディスクのトラックピッチを検出するトラックピッチ検出手段をさらに備え、前記制御手段は、前記トラッククロス信号生成手段の情報トラック横断信号を計数しながら前記駆動手段により一定時間前記読み取り手段を一定速度で前記情報ディスクの半径方向に移動させ、得られた計数値と前記情報ディスクのトラックピッチとに基づき情報ディスク装置の設置方向を検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１１】
また、本発明の請求項３に記載の情報ディスク装置は、請求項２に記載の情報ディスク装置において、前記情報ディスクの種類毎にその標準的なトラックピッチ値を示すテーブルをさらに有し、前記トラックピッチ検出手段は、前記情報ディスクの種類を検出し、前記トラックピッチ値のテーブルを参照することにより、当該情報ディスクのトラックピッチを検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１２】
また、本発明の請求項４に記載の情報ディスク装置は、請求項２に記載の情報ディスク装置において、前記トラックピッチ検出手段は、前記情報ディスクの線速度を検出する線速度検出手段と、前記情報ディスクの現在の再生速度を検出する再生速度検出手段とを有するとともに、前記情報ディスクの種類を検出し、前記制御手段は、前記線速度検出手段を用いてディスクの線速度を検出し、ディスク回転手段に装着された前記情報ディスクを所定の速度で回転させ、前記駆動手段を駆動して前記読み取り手段を前記情報ディスクの所定のアドレスに対応する位置（以下、単に所定のアドレスと称す）に移動し、前記所定の回転速度、所定のアドレスで前記再生速度検出手段を用いて再生速度を検出し、前記線速度検出手段で検出した情報ディスクの線速度、前記所定の回転速度および所定のアドレスで検出した再生速度、前記所定の回転速度、アドレス値、検出された情報ディスクの種類に固有のデータ領域の最内周径、情報ディスクの種類に固有の所定の再生速度で再生したときのデータレートの値に基づき前記情報ディスクのトラックピッチを算出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１３】
また、本発明の請求項５に記載の情報ディスク装置は、請求項２に記載の情報ディスク装置において、前記制御手段は、得られた計数値としきい値とを比較することにより前記情報ディスク装置の設置方向を検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１４】
また、本発明の請求項６に記載の情報ディスク装置の設置方向検出方法は、情報トラックが螺旋状または同心円状に形成された情報ディスクを記録または再生する情報ディスク装置の設置方向検出方法において、読み取り手段により前記情報ディスクから再生した再生信号から当該情報ディスクの情報トラック横断信号を生成し、該情報トラック横断信号を計数しながら駆動手段により前記読み取り手段を一定時間前記情報ディスクの半径方向に移動させ、得られた計数値に基づき情報ディスク装置の設置方向を検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１５】
また、本発明の請求項７に記載の情報ディスク装置の設置方向検出方法は、請求項６に記載の情報ディスク装置の設置方向検出方法において、前記情報ディスク装置はトラックピッチの異なる複数種類の情報ディスクを再生または記録可能であり、トラックピッチ検出手段により前記情報ディスクのトラックピッチを検出し、前記情報トラック横断信号を計数しながら前記駆動手段により前記読み取り手段を一定時間一定速度で前記情報ディスクの半径方向に駆動し、得られた計数値と前記情報ディスクのトラックピッチとに基づき情報ディスク装置の設置方向を検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１６】
また、本発明の請求項８に記載の情報ディスク装置の設置方向検出方法は、請求項７に記載の情報ディスク装置の設置方向検出方法において、前記情報ディスクの種類毎にその標準的なトラックピッチ値を示すテーブルを有し、前記トラックピッチ検出手段は、前記情報ディスクの種類を検出し、前記トラックピッチ値のテーブルを参照することにより、当該情報ディスクのトラックピッチを検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１７】
また、本発明の請求項９に記載の情報ディスク装置の設置方向検出方法は、請求項７に記載の情報ディスク装置の設置方向検出方法において、前記トラックピッチ検出手段は、前記情報ディスクの線速度を検出する線速度検出手段と、前記情報ディスクの現在の再生速度を検出する再生速度検出手段とを有し、前記トラックピッチ検出手段により情報ディスクの種類を検出するとともに、前記線速度検出手段を用いてディスクの線速度を検出し、ディスク回転手段に装着された前記情報ディスクを所定の速度で回転させ、前記駆動手段により前記読み取り手段を前記情報ディスクの所定のアドレスに対応する位置（以下、単に所定のアドレスと称す）に移動させ、前記所定の回転速度、所定のアドレスで前記再生速度検出手段を用いて再生速度を検出し、前記線速度検出手段で検出した情報ディスクの線速度、前記所定の回転速度および所定のアドレスで検出した再生速度、前記所定の回転速度、アドレス値、検出された情報ディスクの種類に固有のデータ領域の最内周径、情報ディスクの種類に固有の所定の再生速度で再生したときのデータレートの値に基づき前記情報ディスクのトラックピッチを算出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【００１８】
また、本発明の請求項１０に記載の情報ディスク装置の設置方向検出方法は、請求項６に記載の情報ディスク装置の設置方向検出方法において、前記得られた計数値としきい値とを比較することにより前記情報ディスク装置の設置方向を検出することを特徴とするもので、半径方向に一定時間読み取り手段を移動した際のトラッククロス計数値に基づき設置方向を検出するため、余分なセンサー、回路等の追加の必要が無く、常に正確に情報ディスク装置の設置方向を検出することができる。
【発明の効果】
【００１９】
本発明に係る情報ディスク装置及び情報ディスク装置の設置方向検出方法によれば、情報ディスクの半径方向に読み取り手段を駆動し、トラック横断数を検出し、このトラック横断数に基づいて情報ディスク装置の設置方向を判定するようにしたので、センサ手段を必要とすることによるコストアップを招くことなく、またセンサ手段の設置個所を必要とすることなく、設置方向を判定できる情報ディスク装置ならびに情報ディスク装置の設置方向検出方法を実現できる効果がある。
【発明を実施するための最良の形態】
【００２０】
（実施の形態１）
この実施の形態１は、本願の請求項１ないし請求項１０に記載の発明に対応するものであり、読み取り手段を一定時間情報ディスク装置の半径方向に駆動した際にトラック横断数を計測し、これに基づいて情報ディスク装置の設置方向を判別することにより、センサー手段を用いることなく情報ディスク装置の設置方向を判別できるようにしたものである。
【００２１】
以下、本発明の実施の形態１について、図１を用いて説明する。
図１は本発明をＤＶＤ−ＲＯＭ再生装置に適用した場合のブロック図である。
図１において、ＤＶＤ−ＲＯＭ再生装置（情報ディスク装置）１０１は、光ディスク（情報ディスク）１０２として、本来のＤＶＤ−ＲＯＭの他にも種々の光ディスクを再生することが可能である。
【００２２】
本実施の形態１に示したＤＶＤ−ＲＯＭ再生装置では、ＣＤ−ＲＯＭ（ＣＤ−ＲＯＭ、ＣＤ−Ｒ、ＣＤ−ＲＷ）、ＤＶＤ−ＲＯＭ（ＤＶＤ−５、ＤＶＤ−９、ＤＶＤ−Ｒ４．７Ｇ）、ＤＶＤ−Ｒ３．９Ｇのディスクを再生可能で、それぞれのディスクの標準的なトラックピッチは、
ＣＤ−ＲＯＭ        １．６    μｍ
ＤＶＤ−ＲＯＭ      ０．７４  μｍ
ＤＶＤ−Ｒ３．９Ｇ  ０．８０  μｍ
となっている。
【００２３】
また、１０３は、ディスク回転手段で、ＤＶＤ−ＲＯＭ再生装置１０１に装填された光ディスク１０２を所定の速度で回転させる。１０４は、読み取り手段で、前記光ディスク１０２から情報信号の読み取りを行う。読み取り手段１０４は、たとえばＤＶＤ−ＲＯＭ装置では、ＣＤ−ＲＯＭ用、ＤＶＤ−ＲＯＭ用の２つの発振波長が相異なるレーザ発光素子１０５と、レーザ光を集光するための対物レンズ１０６、ＣＤ−ＲＯＭ用、ＤＶＤ−ＲＯＭ用の２系統の光検出素子１０７により構成される。１０８は、変換手段で、光検出素子１０７の出力を増幅し、光ディスクの種類に応じた光検出素子からの出力信号を選択し、トラッキングエラー（ＴＥ）、フォーカスエラー（ＦＥ）、再生信号（ＲＦ）、Ａｌｌ  Ｓｕｍ信号（ＡＳ）、ＲＦエンベロープ信号（ＲＦＥＮＶ）などを生成，出力し、光ディスク１０２の再生信号をデジタルデータに変換する。
【００２４】
１０９は、駆動手段で、読み取り手段１０４を光ディスク１０２の半径方向に移動させる。駆動手段１０９はたとえば、読み取り手段１０４全体を光ディスクの半径方向に駆動するトラバース駆動手段１１０と、読み取り手段１０４内部の対物レンズ１０６をその半径方向に駆動して微細に光ディスク１０２の半径方向に駆動するトラッキングアクチュエータ１１１、の２つの手段から構成される。１１２はトラッククロス信号生成手段で、読み取り手段１０４のレーザ光が光ディスク上に形成されたトラックを横断する際の再生信号に基づいて情報トラック横断信号を生成する。情報トラック横断信号は、読み取り手段１０４から出力されたトラッキングエラー信号をヒステリシスコンパレータやコンパレータなどで２値化して計数する方法や、前記２値化された信号と、ＲＦ信号のエンベロープから生成した非オントラック信号を位相比較することにより移動方向の検出を行いながら計数する方法、などにより生成する。
【００２５】
１１３はトラックピッチ検出手段で、情報ディスクのトラックピッチを検出する。トラックピッチを検出する方法は、たとえば、情報ディスクの種類を判別し、そのディスクの種類のトラックピッチの標準値を検出値として使用する方法がある。
【００２６】
通常、ＤＶＤ−ＲＯＭ再生装置１０１では、上述した様に複数の種類の情報ディスクを再生可能で、ディスクの種類に応じて必要とする光源、検出信号の生成方法が異なるため、種々の方法でまず装填されたディスクの種類を判別する。その判別方法としては、たとえばＣＤ用レーザを用いて、フォーカスサーチ時のフォーカスエラー信号の振幅をもとに、情報ディスクの反射率からＲＯＭ系（ＣＤ−ＲＯＭ、ＣＤ−Ｒ、ＤＶＤ−ＲＯＭ、ＤＶＤ−Ｒ）のディスクと書き換え可能系のディスク（ＣＤ−ＲＷ）との判別を行い、更にＲＦ信号の変調度からＤＶＤ系、ＣＤ系のディスクの判別を行い、必要な光源、信号経路を選択する。最終的には、情報ディスクからＴＯＣ（ＴＯＰ  ＯＦ  ＣＯＮＴＥＮＴＳ）情報を読み取ることが可能かどうか、またＴＯＣ情報の内容により選択されたディスクの種類が正しいことを検証する。そして、ディスクの種類に応じたトラックピッチの標準値を選択する。
【００２７】
また、トラックピッチを算出する他の方法としては、トラックピッチ検出手段１１３内に光ディスク１０２の線速度を検出する線速度検出手段と、光ディスク１０２の現在の再生速度を検出する再生速度検出手段とを設け、光ディスク１０２の種類を検出し、線速度検出手段を用いてディスクの線速度を検出し、ディスク回転手段１０３に装着された前記情報ディスクを所定の速度で回転させ、読み取り手段１０４を、駆動手段１０９を駆動して所定のアドレスに対応する位置（以下、単にアドレスと称す）に移動し、所定の回転速度、所定のアドレスで前記再生速度検出手段を用いて再生速度を検出し、線速度検出手段で検出した光ディスクの線速度、所定の回転速度およびアドレスで検出した再生速度、所定の回転速度、アドレス値、検出されたディスクの種類に固有のデータ領域の最内周径、ディスクの種類に固有の所定の再生速度で再生したときのデータレートの値から、前記情報ディスクのトラックピッチを算出する方法などがある。１１６は、制御手段で、変換手段１０８、トラッククロス信号生成手段１１２からの信号を受け取り処理すると共に、ディスク回転手段１０３、読み取り手段１０４、変換手段１０８、駆動手段１０９を制御する。
【００２８】
次に、制御手段１１６が、ＤＶＤ−ＲＯＭ再生装置１０１の設置方向を検出する動作について、図２のフローチャートを用いて説明する。
ＤＶＤ−ＲＯＭ再生装置１０１の起動時において、ドライブ制御手段１１６は、ディスク回転手段１０３を制御することで、光ディスク１０２を回転させる（図２のステップＳ１０１）。そして、駆動手段１０９を光ディスク１０２の半径方向に一定時間一定出力で、即ち一定速度で駆動して（ステップＳ１０２）読み取り手段１０４を移動させ、その間のトラッククロス信号生成手段１１２の出力信号より駆動手段１０９の軌跡がトラックと直交する回数であるトラック横断数を計数する（ステップＳ１０３）。読み取り手段１０４の移動距離は、このトラック横断数にトラックピッチ検出手段１１３の測定値を掛けることで算出することができる（ステップＳ１０４）。もちろん、標準的なディスクのトラックピッチとの比、または、それに比例する値を掛けても同様の結果が得られる。
【００２９】
次いで、得られた移動距離をあらかじめ用意したしきい値と比較することにより、ＤＶＤ−ＲＯＭ再生装置１０１の設置方向を判別する（ステップＳ１０５）。その判別可能な方向は、駆動手段１０９の移動可能な方向として、水平に設置した場合、即ち情報ディスク装置を水平設置した場合の水平方向と、情報ディスク装置を垂直方向に設置した場合の上，下の３方向であるが、垂直方向の場合は必ずしも正確に垂直である必要はなく、正確な垂直方向に対して多少傾斜して設置されている場合でも同様に検出可能である。
【００３０】
しきい値の決定方法は、予め重力方向に対して、駆動手段１０９の移動可能な方向を水平に設定しておき、前述した移動距離を計測しておく。これに対して移動可能な方向を垂直方向に設置した場合の重力加速度による移動距離の変化と、駆動手段１０９の摩擦係数やばらつき等を加味した上でしきい値を決定しておく。
【００３１】
駆動手段１０９の移動可能な方向が、水平である場合の前述した移動距離から一定の範囲内にある場合には、情報ディスク装置の設置方向が水平方向であると判断することができる。また読み取り手段の駆動方向をディスクの外周から内周方向としている場合に、移動距離が一定の範囲より小さくなった場合はディスクの内周方向が上側に、大きくなった場合はディスクの内周方向が下側に、設置されていると判断することができる。また、この移動距離をもとに駆動手段１０９の重力方向に対するおおよその傾斜角度を検出することも可能である。
【００３２】
このように、本実施の形態１によれば、トラック横断数とディスクのトラックピッチをもとに読み取り手段の移動距離を算出しこれをしきい値と比較することにより、単に演算のみで設置方向を検出できるようにしたので、センサを必要とせず、センサを設けることによるコストアップや設置スペースの問題を生じることなく、情報ディスク装置を水平設置した場合の水平方向と、情報ディスク装置を垂直方向に設置した場合の上，下の３方向の設置方向を検出することが可能となる。
【００３３】
なお、本実施の形態１では、トラッククロス数とディスクのトラックピッチをもとに移動距離を算出しこれをしきい値と比較する方法を例に説明したが、トラッククロス数のみを用いて、ディスクの種類毎にしきい値を用意する方法でも同様に実施可能である。
【００３４】
また、本実施の形態１では、駆動手段１０９を半径方向に一定時間一定出力で駆動してその間のトラッククロス信号生成手段１１２の出力信号よりトラック横断数を計数する方法を例に説明したが、一定のトラック横断数を計数するまでの時間を測定することによっても同様に実施可能である。
【００３５】
さらに、本実施の形態１では、情報ディスク装置としてＤＶＤ−ＲＯＭ再生装置を例にとって説明したが、ＤＶＤ−ＲＡＭドライブやＤＶＤ−Ｒドライブ，ＤＶＤ−ＲＷドライブ，ＤＶＤ＋Ｒドライブ，ＤＶＤ＋ＲＷドライブ，ＣＤ−Ｒドライブ、ＣＤ−ＲＷドライブ、さらにはハードディスクドライブ等の書き込みが可能な情報ディスク装置であっても同様に実施可能である。
【００３６】
このように、本実施の形態１によれば、半径方向に一定時間読み取り手段を移動した際のトラッククロス計数値に基づいて情報ディスク装置の設置方向を検出するようにしたので、余分なセンサー、回路等の追加の必要が無く、常に正確に情報ディスク装置の設置方向を検出することができる。
【００３７】
（実施の形態２）
この実施の形態２は、読み取り手段を一定時間情報ディスク装置の半径方向に内周から外周側へ、さらに外周から内周側へ往復駆動した際にトラック横断数を計測し、これに基づいて情報ディスク装置の設置方向を判別することにより、センサー手段を用いることなく情報ディスク装置の設置方向を判別できるようにしたものである。
【００３８】
以下、本発明の実施の形態２について図１を用いて説明する。
図１は、本発明をＤＶＤ−ＲＯＭ再生装置に適用した場合のブロック図である。
図１における構成要素について実施の形態１と同一または相当するものについては、重複を避けるためにその説明を省略する。
【００３９】
次に、制御手段１１６が、ＤＶＤ−ＲＯＭ再生装置１０１の設置方向を検出する動作について、図３のフローチャートを用いて説明する。
制御手段１１６は、ディスク回転手段１０３を制御することにより、光ディスク１０２を回転させる（図３のステップＳ１０１）。そして、駆動手段１０９を光ディスク１０２の半径方向に一定時間一定出力で、即ち一定速度で駆動して（ステップＳ１０６）読み取り手段１０４を内周から外周に移動させ、次いで外周から内周に移動させる。そして、この往復移動の際にそれぞれの方向についてトラッククロス信号生成手段１１２の出力信号よりトラック横断数を計数する（ステップＳ１０３）。読み取り手段１０４の移動距離は、このトラック横断数にトラックピッチ検出手段１１３の測定値を掛けることで算出することができる（ステップＳ１０４）。もちろん、標準となるディスクのトラックピッチとの比、または、それに比例する値を掛けても同様の結果が得られる。そして得られた往復それぞれの移動距離を比較することにより、ＤＶＤ−ＲＯＭ再生装置の設置方向を判別する（ステップＳ１０７）。その判別方法としては、往復それぞれの移動距離の差を取って予め用意したしきい値と比較する方法、往復それぞれの移動距離の比を取って予め用意したしきい値と比較する方法などがある。
【００４０】
本実施の形態２では、トラッククロス数とディスクのトラックピッチをもとに移動距離を算出しこれをしきい値と比較する方法を例に説明したが、トラッククロス数のみを用いて、ディスクの種類毎にしきい値を用意する方法でも同様に実施可能である。特に、往復それぞれの比をしきい値と比較する場合にはトラックピッチは検出値に無関係であるので、トラックピッチを用いなくてもしきい値をディスクの種類毎に用意する必要がない。
【００４１】
本実施の形態２では、駆動手段１０９を半径方向に一定時間一定出力で往復駆動してその間のトラッククロス信号生成手段１１２の出力信号よりトラック横断数を計数する方法を例に説明したが、一定のトラック横断数を計数するまでの時間を往復測定してこれを比較することでも同様に実施可能である。
【００４２】
さらに、本実施の形態２では、情報ディスク装置としてＤＶＤ−ＲＯＭ再生装置を例にとって説明したが、ＤＶＤ−ＲＡＭドライブやＤＶＤ−Ｒドライブ，ＤＶＤ−ＲＷドライブ，ＤＶＤ＋Ｒドライブ，ＤＶＤ＋ＲＷドライブ，ＣＤ−Ｒドライブ、ＣＤ−ＲＷドライブ、さらにはハードディスクドライブ等の書き込みが可能な情報ディスク装置であっても同様に実施可能である。
【００４３】
このように、本実施の形態２によれば、情報ディスクの内周から外周及び外周から内周に一定時間一定出力で読み取り手段を移動した際のトラッククロス計数値をもとに、設置方向を検出できるようにしたので、駆動手段の負荷ばらつきが大きい場合でも常に正確に情報ディスク装置の設置方向を検出することができる。
【００４４】
（実施の形態３）
この実施の形態３は、読み取り手段をディスクの回転周期に合わせて駆動開始と終了時に同じ回転位置となるように駆動することにより、情報ディスクとディスク回転手段間の偏心や振動が大きな場合でも、常に正確に情報ディスク装置の設置方向を検出することができるようにしたものである。
【００４５】
以下、本発明の実施の形態３について図４を用いて説明する。
図４は、本発明をＤＶＤ−ＲＯＭ再生装置に適用した場合のブロック図である。
図４における構成要素について実施の形態１と同一または相当するものについては、重複を避けるため説明を省略する。
【００４６】
図４において、２０１は回転速度検出手段である。回転速度検出手段２０１は、ディスク回転手段１０３より出力されるディスク回転情報をもとにディスクの回転速度を検出する。たとえば、回転センサーとしてのホール素子を備えたブラシレスモータ、をディスク回転手段として使用する場合には、ホール素子からの出力信号がディスク回転情報となる。そのモーターがたとえば３極である場合には１回転当たり６個のパルスが出力されるので、回転速度検出手段はこれをもとに現在のディスクの回転速度を知ることができる。
【００４７】
次に、制御手段１１６が、ＤＶＤ−ＲＯＭ再生装置１０１の設置方向を検出する動作について、図５のフローチャートを用いて説明する。
制御手段１１６は、ディスク回転手段１０３を制御することで、光ディスク１０２を回転させる（図５のステップＳ１０１）。そして、駆動手段１０９を半径方向に一定時間一定出力で、即ち一定速度で駆動して（ステップＳ１０８）、その間のトラッククロス信号生成手段１１２の出力信号よりトラック横断数を計数する（ステップＳ１０３）。このとき、半径方向に駆動する時間は、回転速度検出手段が検出したディスクの回転速度をもとに１回転に要する時間の整数倍とする。これにより、ディスクに偏心や振動がある場合でもトラック横断数の測定開始と測定終了時のディスクの回転位置を一致させることが出来、偏心、振動によるトラック横断の影響をなくすことが出来る。次に、移動距離は、このトラック横断数にトラックピッチ検出手段１１３の測定値を掛けることで算出することができる（ステップＳ１０４）。もちろん、標準となるディスクのトラックピッチとの比または、それに比例する値を掛けても同様の結果が得られる。
あとは、実施の形態１または実施の形態２で示したのと同様にしてＤＶＤ−ＲＯＭ再生装置の設置方向を識別することが出来る（図５のステップＳ１０５）。
【００４８】
なお、以上の説明では、実施の形態１と同様、駆動手段１０９を光ディスク１０２の半径方向に一定時間一定出力で、即ち一定速度で駆動する場合について示したが、図６のフローチャートに示すように、駆動手段を往復駆動させるようにしてもよい。この図６のフローチャートにおいて、ステップＳ１０９は駆動手段を情報ディスクの半径方向に、ディスクの１回転に要する時間の整数倍の時間だけ一定出力で往復駆動するステップ、ステップＳ１０７は往，復それぞれの移動距離を比較し、設置方向を判別するステップである。
【００４９】
また、本実施の形態３では、ディスクの回転速度をもとにディスクの１回転に要する時間を求める例を説明したが、これ以外にも測定開始時と測定終了時のディスク回転位置が同一になるように駆動時間を設定すれば同様に実施可能である。
【００５０】
このように、本実施の形態３によれば、読み取り手段をディスクの回転周期に合わせて駆動開始と終了時に同じ回転位置となるように駆動するようにしたので、情報ディスクとディスク回転手段間の偏心や振動が大きな場合でも、偏心や振動によるトラッククロスの影響を相殺して常に正確に情報ディスク装置の設置方向を検出することができる。
【００５１】
なお、上記実施の形態３においても、トラッククロス数とディスクのトラックピッチをもとに移動距離を算出しこれをしきい値と比較する方法を例に説明したが、トラッククロス数のみを用いて、ディスクの種類毎にしきい値を用意する方法でも同様に実施可能である。
【００５２】
また、上記実施の形態３においても、駆動手段１０９を半径方向に一定時間一定出力で駆動してその間のトラッククロス信号生成手段１１２の出力信号よりトラック横断数を計数する方法を例に説明したが、一定のトラック横断数を計数するまでの時間を測定することによっても同様に実施可能である。
【００５３】
さらに、上記実施の形態３においても、情報ディスク装置としてＤＶＤ−ＲＯＭ再生装置を例にとって説明したが、ＤＶＤ−ＲＡＭドライブやＤＶＤ−Ｒドライブ，ＤＶＤ−ＲＷドライブ，ＤＶＤ＋Ｒドライブ，ＤＶＤ＋ＲＷドライブ，ＣＤ−Ｒドライブ、ＣＤ−ＲＷドライブ、さらにはハードディスクドライブ等の書き込みが可能な情報ディスク装置であっても同様に実施可能である。
【００５４】
（実施の形態４）
この実施の形態４は、読み取り手段が重力方向に対し傾斜して設置された情報ディスク装置の設置方向を、駆動手段により読み取り手段を情報ディスクの半径方向に駆動することにより、検出できるようにしたものである。
【００５５】
以下、この実施の形態４を図１及び図７、図９、図１０を用いて説明する。
図１は、本発明をＤＶＤ−ＲＯＭ再生装置に適用した場合のブロック図である。
図１における構成要素について実施の形態１と同一の働きをするものについては、重複を避けるため説明を省略する。
【００５６】
図７は、本発明の情報ディスク装置を水平設置した場合の駆動方向Ｔｒ１を示す図であり、駆動手段１０９は、重力方向Ｇに対して垂直（９０°）の方向に駆動される。
【００５７】
図９は、情報ディスク装置を縦置き設置し、ディスクの排出方向Ｅを左右方向としたときの駆動手段の第１の駆動方向を示す図であり、駆動手段１０９は、重力方向Ｇに対して斜め下方向に駆動される。
【００５８】
図１０は、情報ディスク装置を縦置き設置し、ディスクの排出方向Ｅを左右方向としたときの駆動手段の第２の駆動方向を示す図であり、駆動手段１０９は、重力方向に対して、斜め上方向に駆動される。
【００５９】
次に、制御手段１１６が、ＤＶＤ−ＲＯＭ再生装置１０１の設置方向を検出する動作について説明する。制御手段１１６は、光ディスク１０２をディスク回転手段１０３を制御することにより回転させる。そして、駆動手段１０９を半径方向に一定時間一定出力で往復駆動して、それぞれの方向についてトラッククロス信号生成手段１１２の出力信号よりトラック横断数を計数する。なお、このときトラッキング方向Ｔｒ２への駆動は行わない。駆動手段１０９の移動距離は、このトラック横断数にトラックピッチ検出手段１１３の測定値を掛けることで算出することができる。もちろん、標準となるディスクのトラックピッチとの比または、それに比例する値を掛けても同様の結果が得られるし、単純にトラック横断数の比較のみでも実施可能である。図３の様に水平設置である場合には、重力が駆動手段１０９に及ぼす影響はほとんどなく摩擦のみなので、トラック横断数は往路、復路でほぼ等しくなる。
【００６０】
これに対して図９の様に駆動手段１０９が重力方向Ｇに対して斜め下方向に駆動される場合には、重力が駆動手段に及ぼす影響は、内周から外周では順方向、外周から内周では逆方向であるので、トラック横断数も内周から外周へのトラック横断数の方が大きくなる。
【００６１】
また、図１０の様に駆動手段１０９が重力方向Ｇに対して斜め上方向に駆動される場合には、逆にトラック横断数も外周から内周へのトラック横断数の方が大きくなるので、トラック横断数の差または比をもとにＤＶＤ−ＲＯＭ再生装置の設置方向を判別することができる。
【００６２】
また、前記駆動手段１０９の重力方向に対する傾斜は、１５°〜７５°または、１０５°〜１６５°の間であることが好ましい。一般的な情報ディスク装置では前後左右方向に正規の設置方向に対して０°〜１５°程度傾斜して設置することが許容されている場合が多いが、傾斜して設置された場合でも傾斜角度を上記の範囲で適切な角度に設定すれば対応可能である。
【００６３】
このように、本実施の形態４によれば、駆動手段により読み取り手段を情報ディスクの半径方向に往復駆動し、その際検出できるトラック横断数の差に基づいてその設置方向を判定するようにしたので、別途センサ等を設けることなく、３つの設置方向を判別することができる。その設置方向は、読み取り手段の駆動方向として、情報ディスク装置を縦置き設置し、その情報ディスクの排出方向を左右方向とした場合の上，下方向と、情報ディスク装置を水平設置したときの水平方向、の３方向である。
【００６４】
また、本実施の形態４では、ディスク排出方向に対して駆動手段１０９の駆動方向を傾斜させて設置する場合を例に説明したが、各設置方向において駆動手段１０９の駆動方向が重力方向に対して傾斜していれば同様に実施可能である。
【００６５】
（実施の形態５）
この実施の形態５は、読み取り手段が重力方向に対し傾斜して設置された情報ディスク装置全体が、その許容範囲内で傾斜して設置された場合の設置方向を、駆動手段により読み取り手段を情報ディスクの半径方向に駆動することにより、検出できるようにしたものである。
【００６６】
以下、この実施の形態５を図１及び図７、図８、図９、図１０を用いて説明する。
図１は、本発明をＤＶＤ−ＲＯＭ再生装置に適用した場合のブロック図である。
図１における構成要素について実施の形態１と同一の働きをするものについては、重複を避けるため説明を省略する。
【００６７】
図７は、情報ディスク装置を水平設置した場合の駆動手段の駆動方向を示す図であり、駆動手段１０９は、重力方向Ｇに対して垂直（９０°）の方向に駆動される。
【００６８】
図８は、情報ディスク装置を縦置き設置しディスク排出方向Ｅが上方向となるようにしたときの駆動方向を示す図である。駆動手段１０９は、ディスク排出方向Ｅに対して約３０°の傾斜を設けて設置されており、図８の設置方向では重力方向Ｇに対して約３０°の傾斜を持って駆動される。
【００６９】
図９は、情報ディスク装置を縦置き設置しディスク排出方向Ｅが横方向となるようにしたときの第１の駆動方向を示す図であり、駆動手段１０９は、重力方向Ｇに対して約１２０°の傾斜を持って駆動される。
【００７０】
図１０は、情報ディスク装置を縦置き設置しディスク排出方向Ｅが横方向となるようにしたときの第２の駆動方向を示す図であり、駆動手段１０９は、重力方向Ｇに対して約６０°の傾斜を持って駆動される。
【００７１】
次に、制御手段１１６が、ＤＶＤ−ＲＯＭ再生装置１０１の設置方向を検出する動作について説明する。制御手段１１６は、光ディスク１０２をディスク回転手段１０３を制御することにより回転させる。そして、駆動手段１０９を半径方向に一定時間一定出力で往復駆動して、それぞれの方向についてトラッククロス信号生成手段１１２の出力信号よりトラック横断数を計数する。移動距離は、このトラック横断数にトラックピッチ検出手段１１３の測定値を掛けることで算出することができる。もちろん、標準となるディスクのトラックピッチとの比または、それに比例する値を掛けても同様の結果が得られるし、単純にトラック横断数の比較のみでも実施可能である。図３の様に水平設置である場合には、重力が駆動手段１０９に及ぼす影響はほとんどなく、駆動手段１０９が有する摩擦のみなので、トラック横断数は往路、復路でほぼ等しくなる。
【００７２】
これに対して、図８の様に、情報ディスク装置をディスク排出方向Ｅが上方向となるように設置した場合であって、重力方向Ｇに対して約３０°の傾斜を持って駆動される場合には、重力加速度ｇが駆動手段１０９に及ぼす影響は、
ａ＝ｇ＊ｃｏｓφ  …（１）
より、φ＝３０°  であるから（但し、“＊”は乗算を表す）、
ａ１＝０．８６６＊ｇ  …（２）
で、外周から内周方向には重力加速度ｇの＋８６％が、内周から外周方向には重力加速度ｇの−８６％が、それぞれ加わる。
【００７３】
図９の様にディスク排出方向Ｅを横方向とし縦置き設置した第１の場合で、駆動手段１０９は、重力方向に対して約１２０°の傾斜を持って駆動される場合には、重力加速度ｇが駆動手段１０９に及ぼす影響は、（1）式においてφ＝１２０°とすることにより、
ａ２＝−０．５＊ｇ  …（３）
であるから、外周から内周方向には重力加速度ｇの−５０％が、内周から外周方向には重力加速度ｇの＋５０％が、それぞれ加わる。
【００７４】
また、図１０の様にディスク排出方向Ｅを横方向とし、縦置き設置する第２の場合で、駆動手段１０９は、重力方向に対して約６０°の傾斜を持って駆動される場合には、重力加速度ｇが駆動手段１０９に及ぼす影響は、（1）式においてφ＝６０°とすることにより、
ａ３＝０．５＊ｇ  …（４）
であるから、外周から内周方向には重力加速度ｇの＋５０％が、内周から外周方向には重力加速度ｇの−５０％が、それぞれ加わる。
【００７５】
これらより、外周から内周、内周から外周方向へ駆動手段１０９を駆動した場合のトラック横断数に差が現れる。このため、両者のトラック横断数を比較することにより、以下の４通りの設置方向を判別できる。
【００７６】
すなわち、i)  両者のトラック横断数がほぼ等しい場合は水平設置、
ii)  内周から外周へのトラック横断数が多い場合には縦置き設置であってディスク排出方向を左右方向とし駆動手段を斜め下方向とする第１の縦置き設置、
iii)  外周から内周へのトラック横断数が多い場合には、内周から外周へのトラック横断数との比から  １）  縦置き設置であってディスク排出方向を左右方向とし駆動手段を斜め上方向とする第２の縦置き設置、または、２）  ディスク排出方向を上向きとする縦置き設置、
のいずれで設置されたかが判別可能である。
【００７７】
本実施の形態５では、駆動手段１０９がディスク排出方向に対して約３０°の傾斜を設けて設置されている場合を例に説明したが、前記重力方向に対する傾斜が、４５°、９０°、１３５°、１８０°のいずれにも略等しくなければ同様に実施可能である。なお、これら４５°、９０°、１３５°、１８０°は、往復駆動によるトラック横断数の差が生じない角度であり、設置方向の判別が不可能になる角度である。
【００７８】
また、一般的な情報ディスク装置では前後左右方向に正規の設置方向に対して０°〜１５°程度傾斜して設置することが許容されている場合が多いが、傾斜して設置された場合でも前記重力方向に対する傾斜角θを１５°〜３０°、６０°〜７５°または１０５°〜１２０°、１５０°〜１６５°のいずれかの範囲にすれば同様に実施可能である。
【００７９】
この場合、重力加速度ｇが駆動手段１０９に及ぼす影響を表す（1）式は、
ａ＝ｇ＊（ｃｏｓφ）＊（ｃｏｓθ）  …（５）
に変更する必要がある。
【００８０】
このように、本実施の形態５によれば、駆動手段により読み取り手段を情報ディスクの半径方向に往復駆動し、その際検出できるトラック横断数の差に基づいてその設置方向を判定するようにしたので、別途センサ等を設けることなく、読み取り手段が重力方向に対し傾斜して設置されるとともに、情報ディスク装置全体が許容範囲内で傾いて設置された情報ディスク装置の設置方向を判別できる。
【００８１】
なお、本実施の形態５では、４種類の設置方向として、水平方向，縦置きであってディスク排出方向が上方向，縦置きであってディスク排出方向が横方向で駆動手段の駆動方向が斜め上方向，縦置きであってディスク排出方向が横方向で駆動手段の駆動方向が斜め下方向、のいずれであるかを判別する場合を例に説明したが、ディスク排出方向が下向きの場合を設置方向として加えた場合でも同様に判別可能である。
【００８２】
また、本実施の形態５では、ディスク排出方向に対して駆動手段１０９の駆動方向を傾斜させて設置する場合を例に説明したが、各設置方向において駆動手段１０９の駆動方向が重力方向に対して傾斜していれば同様に実施可能である。
【産業上の利用可能性】
【００８３】
このように、本発明の情報ディスク装置及び情報ディスク装置の設置方向検出方法によれば、センサ手段を必要とすることによるコストアップやセンサ手段の設置個所を必要とすることなく、情報ディスク装置の設置方向を判定するのに適用できる。
【図面の簡単な説明】
【００８４】
【図１】本発明の実施の形態１，２による情報ディスク装置の一例としてのＤＶＤ−ＲＯＭ再生装置の構成を示すブロック図である。
【図２】本発明の実施の形態１による情報ディスク装置の制御手段の動作の一例としてのフローチャートを示す図である。
【図３】本発明の実施の形態２による情報ディスク装置の制御手段の動作の一例としてのフローチャートを示す図である。
【図４】本発明の実施の形態３による情報ディスク装置の一例としてのＤＶＤ−ＲＯＭ再生装置の構成を示すブロック図である。
【図５】本発明の実施の形態３による情報ディスク装置の制御手段の動作の一例としてのフローチャートを示す図である。
【図６】本発明の実施の形態３による情報ディスク装置の制御手段の動作の一例としてのフローチャートを示す図である。
【図７】本発明の実施の形態４による情報ディスク装置を水平設置した場合の駆動方向を示す図である。
【図８】本発明の実施の形態４による情報ディスク装置をディスク排出方向を上方向で設置した場合の駆動方向を示す図である。
【図９】本発明の実施の形態５による情報ディスク装置をディスク排出方向を横方向で縦置き設置した場合の駆動方向を示す図である。
【図１０】本発明の実施の形態５による情報ディスク装置をディスク排出方向を横方向で縦置き設置した別の場合の駆動方向を示す図である。
【符号の説明】
【００８５】
１０１  ＤＶＤ−ＲＯＭ再生装置
１０２  光ディスク
１０３  ディスク回転手段
１０４  読み取り手段
１０９  駆動手段
１１２  トラッククロス信号生成手段
１１３  トラックピッチ検出手段
１１６  制御手段
【図１】
2006155881.tif 000003
【図２】
2006155881.tif 000004
【図３】
2006155881.tif 000005
【図４】
2006155881.tif 000006
【図５】
2006155881.tif 000007
【図６】
2006155881.tif 000008
【図７】
2006155881.tif 000009
【図８】
2006155881.tif 000010
【図９】
2006155881.tif 000011
【図１０】
2006155881.tif 000012